(57)【要約】【課題】股間部の凸部の潰れを回避し、吸収スピードの低下を防ぎ、肌触りの低下やスキントラブルを防止する吸収性物品を提供する。【解決手段】吸収体の前部に、前記吸収体の中間部よりも幅方向に延在する前拡大部を形成し、前記吸収体の後部に、前記吸収体の中間部よりも幅方向に延在する後拡大部を形成し、前記後拡大部の両側部に、それぞれ内側に向かって突出する嵩高部を設け、トップシートに凸部が形成されている領域を有する吸収体に、幅方向に所定の間隔を隔てて前後方向に延在する溝部を設け、前記嵩高部の高さを前記溝部の高さよりも高く形成し  幅方向において前記嵩高部と溝部の間に位置して前後方向に延在する折り畳み線に沿って、前記吸収体の両側部を内側に折畳んだ場合に、前記嵩高部が溝部に緩嵌されることを特徴とする吸収性物品が課題を解決する。【選択図】図２
2018164635.tif 000002
【特許請求の範囲】
【請求項１】
外装体と、外装体の内側に設けられる吸収体を備える吸収性物品において、
前記吸収体を、液透過性のトップシートと、液不透過性のバックシートと、前記トップシートとバックシートの間に設けられるパルプ繊維と吸収性ポリマーからなる吸収性コアで形成し、当該吸収体はトップシートに凸部が形成されている領域を有し、
前後方向において、前記吸収体の前部に、前記吸収体の中間部よりも幅方向に延在する前拡大部を形成し、前記吸収体の後部に、前記吸収体の中間部よりも幅方向に延在する後拡大部を形成し、
前記後拡大部の両側部に、それぞれ内側に向かって突出する嵩高部を設け、
前記吸収体に、幅方向に所定の間隔を隔てて前後方向に延在する溝部を設け、
前記嵩高部の高さを前記溝部の高さよりも高く形成し、
幅方向において前記嵩高部と溝部の間に位置して前後方向に延在する折り畳み線に沿って、前記吸収体の両側部を内側に折畳んだ場合に、前記嵩高部が溝部に緩嵌されることを特徴とする吸収性物品。
【請求項２】
前記折り畳み線に沿って、前記吸収体の両側部が内側に折り畳まれ、前記嵩高部が前記溝部に緩嵌され、
前記吸収体の前後方向略１／３の前部が前後方向において前記嵩高部と前記前拡大部の間に位置して幅方向に延在する第２の折り畳み線に沿って中央部へ折り畳まれ、
前後方向略１／３の後部が前後方向において前記嵩高部と後端の間に位置して幅方向に延在する第３の折り畳み線に沿って中央部へ折り畳まれている請求項１記載の吸収性物品。
【発明の詳細な説明】
【技術分野】
【０００１】
本発明は、吸収体の折り畳み位置、吸収体形状により、パッケージ内での股間部から臀部のトップシート凸部の潰れを防止する吸収性物品に関する。
【背景技術】
【０００２】
尿とりパッドのような吸収性物品は、折り畳まれてパッケージに収納された形態で製造販売されるのが一般的である。パッケージに収納するため、幅方向に三つ折りされる場合がある。例えば、吸収体の左側部の幅方向（以下で横方向ともいう）の中間で２分割する前後方向（以下で縦方向ともいう）に走る左側仮想縦断線を折り目中心として吸収体の左側部を内側に折り畳み、吸収体の右側部の幅方向の中間で２分割する右側仮想縦断線を折り目中心として吸収体の右側部を内側に折り畳み、２つの縦軸を折り目として三つ折りとする場合である。さらに、吸収体を前後方向に３分割する前側仮想横断線を折り目中心として吸収体の前側部を内側に折り畳んだ後に、吸収体を前後方向に３分割する後側仮想横断線を折り目中心として吸収体の後側部を内側に折り畳み、前後方向にも三つ折りとする場合である（以下、単に三つ折りという）。一方、尿の拡散性向上と、柔らかさ及び肌触り向上のため、トップシートに凹凸面が生成される吸収体がある。そのため上記のように折り畳まれてパッケージ収納される場合、トップシートの凹凸部は収納圧力により凸部が潰された状態となるため、尿の拡散性の低下や肌触りの低下、液残りによるスキントラブルの増加が発生する。特に股間部の凸部が潰れると吸収スピードの低下、臀部の凸部が潰れると肌触りの低下やスキントラブルが発生する問題があった。
【０００３】
したがって、尿とりパッドのように吸収性物品が折り畳まれてパッケージに収納される場合に、トップシートの凹凸部が収納圧力により凸部が潰されないように折り畳み可能である吸収性物品が望まれている。
【０００４】
従来、吸収性物品に凹凸加工したトップシートを用いること（特許文献１）や、このように凸部が形成された液透過性のトップシートを備える、展開可能に折り畳まれた尿とりパッドであって、トップシートのうち所定領域に形成されている凸部の形態を維持可能な尿とりパットは知られている（特許文献２）。
【先行技術文献】
【特許文献】
【０００５】
【特許文献１】特開２００４−１７４２３４号公報
【特許文献２】特開２０１５−１５７０４７号公報
【発明の概要】
【発明が解決しようとする課題】
【０００６】
しかし従来品でも、なお凸部が重なる部分が残り、この部分で凸部が潰れてしまう構造であるに止まるもので、上記問題を解決するものではなかった。
【０００７】
そこで本発明の主たる課題は、折り畳みによる、股間部の凸部の潰れを回避し吸収スピードの低下を防ぎ、臀部の凸部の潰れを回避し、肌触りの低下やスキントラブルを防止する吸収性物品を提供することにある。
【課題を解決するための手段】
【０００８】
上記課題を解決した発明は次記のとおりである。
外装体と、外装体の内側に設けられる吸収体を備える吸収性物品において、前記吸収体を、液透過性のトップシートと、液不透過性のバックシートと、前記トップシートとバックシートの間に設けられるパルプ繊維と吸収性ポリマーからなる吸収性コアで形成し、当該吸収体はトップシートに凸部が形成されている領域を有し、前後方向において、前記吸収体の前部に、前記吸収体の中間部よりも幅方向に延在する前拡大部を形成し、前記吸収体の後部に、前記吸収体の中間部よりも幅方向に延在する後拡大部を形成し、前記後拡大部の両側部に、それぞれ内側に向かって突出する嵩高部を設け、前記吸収体に、幅方向に所定の間隔を隔てて前後方向に延在する溝部を設け、前記嵩高部の高さを前記溝部の高さよりも高く形成し、幅方向において前記嵩高部と溝部の間に位置して前後方向に延在する折り畳み線に沿って、前記吸収体の両側部を内側に折畳んだ場合に、前記嵩高部が溝部に緩嵌されることを特徴とする吸収性物品である。
【０００９】
本発明に係る吸収性物品は、後拡大部の両側部に設けられる嵩高部が溝部内で対向する後拡大部面を支持するが、溝部では肌に触れないので、溝部内ではトップシートの凹凸が潰れてもよい。このように溝部に嵩高部を緩嵌することで、溝部外の吸収性物品の表面に関し潰れてほしくない箇所に関し折り畳み時に対向するトップシート間に空間を保持することを可能とし、これによって、股間部の凸部の潰れを回避し、吸収スピードの低下を防ぎ、臀部の凸部の潰れを回避し、肌触りの低下やスキントラブルを防止する吸収性物品を提供する。
【００１０】
もう一つの態様では、本発明は、上記発明に係る吸収性物品を折り畳んだ吸収性物品を提供する。すなわち、前記嵩高部が前記溝部に緩嵌されて前記両側部が内側に折畳まれている前記吸収体は、前記吸収体の前後方向略１／３の前部が前後方向において前記嵩高部と前記前拡大部の間に位置して幅方向に延在する第２の折り畳み線に沿って中央部へ折り畳まれ、その上に前後方向略１／３の後部が前後方向において前記嵩高部と後端の間に位置して幅方向に延在する第３の折り畳み線に沿って中央部へ折り畳まれている吸収性物品である。
【００１１】
もう一つの態様の発明は、さらに、本発明の先の態様の吸収性物品の前後方向略１／３で前拡大部を中央部へ折り込み、装着時には前身頃に接する面となる部位の三つ折り先端部はすでに前後方向に延在する折り畳み線に沿って折り畳まれている（以下で前後方向に延在する折り畳み線に沿う折り畳みをＣ折りという）嵩高部に対向し、前後方向の三つ折り先端部と折り目との間にある程度の空間を確保し、トップシート凸部のパッケージ収納時の潰れを回避する。さらに、前後方向略１／３で後部を中央部へ折り込み前後方向に三つ折りにされる吸収性物品の折り畳み対向面は外装シート外面と前後拡大部トップシート面であり、トップシートと嵩高部は直接対向せず、嵩高部によるトップシート凸部潰れも回避可能である。
【発明の効果】
【００１２】
以上のとおり、本発明によれば、股間部のトップシート表面凸部の潰れを回避し、吸収スピードの低下を防ぎ、臀部のトップシート表面凸部の潰れを回避し、肌触りの低下やスキントラブルを防止する吸収性物品を提供する。
【図面の簡単な説明】
【００１３】
【図１】本発明に係る吸収性物品であるパッドの一実施形態の展開状態の吸収性物品の平面模式図（内面側）である。
【図２】同品の要部の内面側平面模式図である。
【図３】図１のＡ−Ａ断面模式図である。
【図４】図１のＢ−Ｂ断面模式図である。
【図５】同品の展開状態の吸収体の平面模式図である。
【図６】同品のトップシートの凸部の断面模式図である。
【図７】同品のトップシートの凸部の平面模式図である。
【図８】同品の折り畳み時の斜視模式図である。
【図９】図８のＺ−Ｚ断面図である。
【図１０】本発明に係る吸収性物品であるパッドの他の実施形態の要部の内面側平面模式図である。
【図１１】図１０に示すパッドを折り畳み後の図９に相当する断面図である。
【図１２】図２に示す一実施形態の変形実施例の要部の内面側平面模式図である。
【発明を実施するための形態】
【００１４】
＜一実施形態＞
以下、本発明の吸収性物品の一実施形態であるパッド１について、添付図面を参照しつつ詳説する。
図１〜２に示すように、パッド１は、外装体２７と、外装体２７の内側に設けられる吸収体２３を備える吸収性物品において、前記吸収体２３を、液透過性のトップシート２２と、液不透過性のバックシート２１と、前記トップシート２２とバックシート２１の間に設けられるパルプ繊維と吸収性ポリマーからなる吸収性コア２６で形成し、当該吸収体はトップシートに凸部が形成されている領域を有し、前後方向Ｌにおいて、前記吸収体２３の前部３０に、前記吸収体の中間部よりも幅方向Ｗに延在する前拡大部３０Ａ、３０Ｂを形成し、前記吸収体２３の後部３２に、前記吸収体２３の中間部よりも幅方向Ｗに延在する後拡大部３２Ａ、３２Ｂを形成し、前記後拡大部３２の両側部に、それぞれ内側に向かって突出する嵩高部１００Ａ，１００Ｂを設け、前記吸収体２３に、幅方向Ｗに所定の間隔を隔てて前後方向Ｌに延在する溝部４０を設け、前記嵩高部１００Ａ，１００Ｂの高さを前記溝部４０の高さよりも高く形成し、幅方向Ｗにおいて前記嵩高部１００Ａ，１００Ｂと溝部４０の間に位置して前後方向に延在する折り畳み線３３Ａ，３３Ｂに沿って、前記吸収体２３の両側部を内側に折畳んだ場合に、前記嵩高部１００Ａ，１００Ｂが溝部４０に緩嵌されることを特徴とする吸収性物品である。
【００１５】
各部の寸法は、適宜定めることができ、例えば、パッド１の前後方向の長さＬを３５０〜７００ｍｍ、幅方向の幅Ｗを１３０〜４００ｍｍ、前身頃Ｆの前後方向の長さを５０〜３５０ｍｍ、股間部Ｃの前後方向の長さを１０〜１５０ｍｍ、後身頃Ｂ２の前後方向の長さを５０〜３５０ｍｍ、股間部Ｃの最小幅を２００〜２６０ｃｍに形成することができる。
【００１６】
パッド１は、液不透過性のバックシートト２１と、透液性のトップシート２２と、バックシート２１とトップシート２２の間に配置された吸収体２３と、トップシート２２の幅方向の両側部に設けられた立体ギャザー２４で形成されている。
【００１７】
吸収体２３の外縁には、バックシート２１が吸収体２３の外周縁から若干はみ出すように設けられている。バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００１８】
バックシート２１の外側には、不織布からなる外装体２７がバックシート２１の外周縁から若干はみ出すように設けられている。外装体２７としては、各種の不織布を用いることができる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００１９】
吸収体２３の内縁には、トップシート２２が設けられている。トップシート２２としては、有孔又は無孔の不織布や穴あきプラスチックシートなどが用いられる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００２０】
トップシート２２と吸収体コア２６の間には、中間シート２５が設けられている。中間シート２５としては、保水性が低く、かつ透液性の高い素材、例えば各種の不織布やメッシュフィルム等を用いることができる。
【００２１】
トップシート２２の幅方向の両側部には、立体ギャザー２４が設けられ、立体ギャザー２４は、外装体２７の幅方向の側部に固定された固定部と、固定部から吸収体２３等の幅方向の側部を超えてトップシート２２の内面の側部まで延在する本体部から形成されている。また、本体部の前後方向の前後端部は、トップシート２２に固定され、本体部の前後方向の中央部は、トップシート２２に固定されず内側に向かって起立する。なお、図１に立体ギャザー２４の固定部を斜線で示している。
【００２２】
立体ギャザー２４は、２重のギャザーシート２４Ａと前後方向に延在する細長状の弾性部材２４Ｂから形成されている。ギャザーシート２４Ａの素材としては、プラスチックシートやメルトブローン不織布を使用することもできるが、肌への感触性の点で、不織布にシリコンなどにより撥水処理を用いることができる。また、弾性部材２４Ｂとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。なお、図４に示すように、弾性部材２４Ｂは、その伸縮力によって立体ギャザー２４を内側に向かって起立させる。
【００２３】
パッドの前後方向の前後端部では、トップシート２２と外装体２７が固定されてフラップ部ＥＦを形成する。パッドの幅方向の両側端部では、ギャザーシート２４Ａと外装体２７が固定されてサイドフラップ部ＳＦを形成している。なお、フラップ部ＥＦとサイドフラップ部ＳＦには、吸収体２３は延在していない。
【００２４】
吸収体２３は、液透過性のトップシート２２と、液不透過性のバックシート２１と、前記トップシート２２とバックシート２１の間に設けられるパルプ繊維と吸収性ポリマーからなる吸収性コア２６で形成されている。また、吸収性コア２６は、パルプ繊維の積繊体、セルロースアセテート等のフィラメントの集合体、あるいは不織布を基本とし、必要に応じて粒子状等の高吸収性ポリマー粒子を混合、固着等してなるものを用いることができる。また、吸収性コア２６は、高吸収性ポリマー粒子の脱落等を防止するために、クレープ紙等の包装シート（図示略）により包むのが好ましい。
【００２５】
吸収体２３は、パッドの股間部Ｃに括れ形の中央部３１を形成し、吸収体２３の前部３０に、前記吸収体２３の中間部よりも幅方向Ｗに延在する前拡大部３０Ａ、３０Ｂを形成し、前記吸収体２３の後部３２に、前記吸収体２３の中間部よりも幅方向Ｗに延在する後拡大部３２Ａ、３２Ｂを形成し、前記後拡大部３２Ａ、３２Ｂの両側部に、それぞれ内側に向かって突出する嵩高部１００Ａ，１００Ｂが設けられており、前記吸収体２３に、幅方向Ｗに所定の間隔を隔てて前後方向Ｌに延在する前後方向に長辺を有する略長方形状の溝部４０が形成されている。
【００２６】
吸収体２３は中央部３１では括れ形を、前拡大部３０Ａ、３０Ｂを略台形形状に切欠いたように形成されている。中央部３１の最小幅は、前側部３０と後側部３２の幅Ｗ１の５０〜６５％に形成されている。また、外側吸収体２３Ｂの前端を０％とし外側吸収体２３Ｂの後端を１００％としたとき、中央部３１の前端を１０〜２５％に配置し、中央部３１の後端を４０〜６５％に配置し、中央部３１の最小幅となる部位を２５〜３０％に配置されている。
【００２７】
図６に示すように、一実施形態では、トップシート２２における吸収体２３の表面部位には、ほぼトップシート全域にわたり内側に突出する多数の凸部４１が前後方向と幅方向に所定の間隔を隔てて千鳥状に形成されている。トップシートに凸部が形成されている領域は特定される必要はなく、本実施形態のようにほぼ全域にわたり形成されてよいが、凸部４１は必ずしもトップシートの全域にわたり形成されていなくても、少なくとも後に詳述する溝４０の周囲を当該領域に含むのが好ましい。トップシート２２の凸部４１はどのような方法で形成されてもよく、例えば、トップシート２２の一部が間欠的な接合パターンの加圧溶着によって中間シート２５と接合され、トップシート２２の加圧溶着部に凹部が形成されそのまわりに反射的に凸部４１が形成される構成でもよい。
【００２８】
これにより、吸収性物品形成時にはトップシートは凹凸部を呈し、図７に示すように、トップシート２２上の排尿位置ＺＺに排尿された尿は、前後方向又は幅方向に流れるよりもトップシート２２に突出する凸部４１と隣接する凸部４１の間を斜め方向に流れて、排尿位置ＺＺに排尿された多くの尿は、排尿位置ＺＺの両側部に形成された溝部４０に流れ込むので、吸収可能量の低下を抑えつつ、股間部Ｃのフィット性に優れ、かつ逆戻り防止性にも優れたものとなる。
【００２９】
凸部４１は、エンボス加工を用いてトップシート２２を外側から内側に押出すことによって形成することができる。また、凸部４１の形状は、円形状、楕円形状、多角形状に形成することができる。
【００３０】
次に、トップシート２２に突出する凸部４１のつぶれを防止する吸収性物品に配設されている嵩高部１００について説明する。嵩高部１００は展開図である図１に黒塗り部平面視長方形として、後拡大部３２の両側部に、それぞれ内側に向かって突出する嵩高部１００Ａ，１００Ｂとして描かれている。吸収性物品１は、パッケージされているときには、幅方向Ｗにおいて前記嵩高部１００Ａ，１００Ｂと溝部４０の間に位置して前後方向に延在する折り畳み線３３Ａ，３３Ｂに沿って、前記吸収体２３の両側部を内側に折り畳まれる（Ｃ折り）。この場合において、前記嵩高部１００Ａ，１００Ｂが溝部４０に緩嵌される配置となっている。幅方向にＣ折りの後、図８に示されているようにまず、前拡大部３２を含む前後方向略１／３の前部が前後方向Ｌにおいて前記嵩高部１００Ａ，１００Ｂと前記前拡大部３２の間に位置して幅方向Ｗに延在する第２の折り畳み線３４に沿って中央部へ図８中の奥側の矢印のように手前向きに折り畳まれ、前後方向略１／３の後部が前後方向Ｌにおいて前記嵩高部１００Ａ，１００Ｂと後端の間に位置して幅方向Ｗに延在する第３の折り畳み線３５に沿って図８中の手前側の矢印のように前後方向Ｌに中央部へ折り畳まれている。このようにして、前後方向Ｌに略三等分の長さに所定の位置で三つ折りにされるが、その前に、幅方向Ｗにも前後方向Ｌに延びる折り畳み線、図２では二点鎖線３３Ａ、３３Ｂで示されている折り畳み線に沿って幅方向に略三等分の長さにＣ形に折られる（仮想のＣ折りの折り畳み線を以下ではＣ折り線ともいう）。幅方向の一方をＣ折りの畳み線３３Ａ、及び３３Ｂで折り畳むとき、このＣ折り線に近い各々の嵩高部１００Ａ，１００Ｂと溝部４０Ａ、４０Ｂとは、互いに緩嵌する形状で左右のＣ折り線に線対称に配設されている。より詳細には、嵩高部１００は直方体であり、溝部４０はこの直方体よりも若干大きめに平面視長方形の溝が嵩高部の突出高さ（トップシート平坦部からの高さをいう）が溝部高さ（溝底面から開口面までの高さをいう）より高く形成され、溝部４０Ａ，４０Ｂと前記嵩高部１００Ａ、１００Ｂとは互いに緩嵌する形状で各々Ｃ折り畳み線３３Ａ，３３Ｂに関し線対称に配設されている。前記吸収体２３の中間部よりも幅方向Ｗに延在する後拡大部３２Ａ、３２Ｂを形成し、前記後拡大部３２の両側部３２Ａ、３２Ｂに、それぞれ内側に向かって突出する嵩高部１００Ａ，１００Ｂを設け、前記吸収体２３に、幅方向Ｗに所定の間隔を隔てて前後方向Ｌに延在する溝部を設け、前記嵩高部１００Ａ，１００Ｂの高さを前記溝部４０の高さよりも高く形成し、幅方向Ｗにおいて前記嵩高部１００Ａ，１００Ｂと溝部４０の間に位置して前後方向に延在する折り畳み線３３Ａ，３３Ｂに沿って、前記吸収体２３の両側部を内側に折畳んだ場合に、前記嵩高部１００Ａ，１００Ｂが溝部４０に緩嵌される。
【００３１】
溝部４０は、図６に示されているように、二層から成る吸収体２３の肌側層のみ開放されているものでもよいし、吸収体２３のバックシート２１まで貫通するもの（図示略）でもよい。
【００３２】
Ｃ折り時には、平面視右側の溝部４０は右側の嵩高部１００がＣ折り畳み線に沿って幅方向中心側へ折られたときに緩嵌し、前記嵩高部１００Ａ，１００Ｂの高さは前記溝部４０の高さよりも高く形成されているから、嵩高部１００は溝部４０の底面に当たると折り畳み側の前記後拡大部３２の両側部３２Ａ、３２Ｂを支持する。このように、トップシート２２上の溝部に対向する面は嵩高部と溝部底面で支持され、嵩高部及び溝部４０面でない吸収体２３トップシート２２の面同士は、対向面との間に折り畳み時にも空間が確保され凸部４１は潰されていないので、人体に装着後も凸部４１の間に形成されている凹部を伝い、トップシート２２上の排尿位置ＺＺに排尿された尿は、前後方向又は幅方向に流れるよりもトップシート２２に突出する凸部４１と隣接する凸部４１の間で形成されている空間を斜め方向に流れて、排尿位置ＺＺに排尿された多くの尿は、排尿位置ＺＺの両側部に形成された溝部４０に流れ込むことが可能である。
【００３３】
嵩高部１００の形状は溝部４０と緩嵌する限りおいて様々な形状が可能であり、一実施形態では直線状の溝形溝部４０に対して直方体状に突出する嵩高部１００でも、円形状に突出する嵩高部（図示略）でも平面視楕円形に突出する嵩高部（図示略）でもどのような形でも緩嵌すればよい。
【００３４】
溝部４０の配置は平行直線配置に限らずハの字形に配置してもよい。緩嵌する嵩高部１００の形状は直方体状が製造に簡便である。
【００３５】
図９は、図８に示すように折り畳まれた場合の吸収性物品であるパット１のＺ横断面を示す模式図である。図９は、折り畳み後のＺ−Ｚ断面図を示し、幅方向において前記嵩高部と溝部の間に位置して前後方向に延在する折り畳み線３３Ａ，３３Ｂに沿って、前記吸収体２３の両側部を内側に折畳んだ場合に、前記嵩高部が溝部に緩嵌される様子を示す。折り畳み線３３Ａ，３３Ｂ（図示しない）に沿って内側へ折り畳まれた吸収体２３の前部３０の前拡大部３０Ａ、３０Ｂ並びに後部３２の後拡大部３２Ａ，３２Ｂが模式的に示され、前部３０は第２の折り畳み線（図示しない）に沿って中央部へ向かい前後方向へ折り畳まれ、その前部の外装体外面に対向して後部３２が中央部へ向かい前後方向へ折り畳まれることを概念的に示している。このようにＣ折りの折り畳み時には、嵩高部１００は、吸収体２３に設けられている溝部４０に緩嵌する。前記溝部４０と前記嵩高部１００とは互いに緩嵌する形状で折り畳み線３３Ａ，３３Ｂに線対称に配設され、当該嵩高部１００の高さは当該溝部４０の底面から開口部までの高さよりも高くなるように吸収体１００に嵩高部で厚みを持たせている。これによって、パッケージ時に緩嵌部以外の折り畳みの対向面間には空間が形成されている。したがって、パッケージ時にトップシート２２の凸部４１は潰されない。
（実施変形例）
なお、図１２は、さらに、後拡大部３２Ａ，３２Ｂの後端部の両側部にも嵩高部１００Ｃ，１００Ｄを設ける実施変形例を示す。図１２に示される実施例パッド２では、背側まで空間を保持でき、トップシート２２の凹凸形状を保つための折り畳み時に対向するトップシート２２間の空間をより広い領域で保持できる。
【００３６】
＜他の実施形態＞
他の実施形態の本発明に係る折り畳まれた吸収性物品を図９に示す。すなわち、吸収性物品は、外装体２７と、外装体２７の内側に設けられる吸収体２３を備える図１に示す吸収性物品において、前記折り畳み線３３Ａ，３３Ｂに沿って、前記吸収体２３の両側部３０Ａ、３０Ｂ、３２Ａ、３２Ｂが内側に折り畳まれ、前記嵩高部１００が前記溝部４０に緩嵌され、前記吸収体２３の前後方向略１／３の前部が前後方向Ｌにおいて前記嵩高部１００と前記前拡大部３０の間に位置して幅方向Ｗに延在する第２の折り畳み線３４に沿って中央部３１へ折り畳まれ、前後方向略１／３の後部３２が前後方向Ｌにおいて前記嵩高部１００と後端の間に位置して幅方向Ｗに延在する第３の折り畳み線３５に沿って中央部３１へ折り畳まれている吸収性物品である。本実施形態では、嵩高部の中央側端は吸収体２３の後ろ側括れはじめの部位にあり、吸収体２３後端との距離Ｊは、ほぼ後側の非括れ部の前後長であるが、嵩高部は全体が折り畳み線３５よりも前後方向中央側にあるように配設されている。
【００３７】
本発明に係る他の実施形態の吸収性物品は、折り畳み構成として、幅方向において前記嵩高部と溝部の間に位置して前後方向に延在するＣ折りの折り畳み線に沿って、前記吸収体の両側部を内側に折畳み、溝部部に嵩高部を緩嵌することで、トップシートに接する吸収体表面の緩嵌部以外の潰れてほしくない箇所の凸部を潰さない。前後方向略１／３で前拡大部を中央部へ折り込み、装着時には前身頃に接する面となる部位の三つ折り先端部はすでにＣ折りされている嵩高部に対向し、前後方向の三つ折り先端部と折り目との間にある程度の空間を確保し、トップシート凸部のパッケージ収納時の潰れを回避する。さらに、前後方向略１／３で後部を中央部へ折り込み前後方向に三つ折りにされる吸収性物品は、最後の折り畳み対向面は外装シート外面と後拡大部トップシート面であり、トップシートと嵩高部は直接対向せず、嵩高部によるトップシート凸部潰れも回避可能である。
【００３８】
こうして、本発明は吸収体の吸収スピードの低下を防ぎ、装着時には前身頃Ｆに接する面となる部位のトップシートに接する吸収体や臀部に接する後身頃Ｂのトップシートに接する吸収体面の凸部の潰れを回避し、肌触りの低下やスキントラブルを防止する吸収性物品が提供される。
【００３９】
本発明の吸収性物品の他の実施形態であるパッド２を図１０に示す展開状態の吸収性物品の平面模式図（内面側）を参照し、説明する。他の実施形態では、溝部４０は、１本である。溝部は２本の方が尿と接する表面積が増え、吸収性能が増し、また、溝部が２本であるとパッドはＷ形状に折れるため、山の部分が排尿口部にフィットしやすいという利点があり好ましいが、図１０に示される他の実施形態のように、幅方向の略中央に1本でもよい。
【００４０】
溝部が１本の場合には最初に片方の側の嵩高部１００Ａを溝部４０へ緩嵌の後、もう一方の嵩高部１００Ｂを溝部４０位置へさらに重ねるように内側へ折ってＣ折りを完成する（図１１参照）。この場合にさらに重ねるトップシートに接する面の嵩高部位が直接接触するのはバックシートでありトップシートに接する面の凹凸面は直接には圧迫されないからほぼ同様の効果を得られるが、溝部は2本の方が尿と接する表面積が増え、吸収性能が増すため総合的には溝部２本がより好ましい。
【産業上の利用可能性】
【００４１】
本発明は、吸収性物品に利用できるものである。
【符号の説明】
【００４２】
１        パッド
２        パッド
２１      バックシート
２２      トップシート
２３      吸収体
２６      吸収体コア
２７      外装体
３０      前部
３０Ａ    前拡大部
３０Ｂ    前拡大部
３１      中央部
３２      後部
３２Ａ    後拡大部
３２Ｂ    後拡大部
３３Ａ    折り畳み線
３３Ｂ    折り畳み線
３４      第２の折り畳み線
３５      第３の折り畳み線
４０      溝部
４０Ａ    溝部
４０Ｂ    溝部
４１      凸部
１００    嵩高部
１００Ａ  嵩高部
１００Ｂ  嵩高部
Ｌ        前後方向
Ｗ        幅方向
【図１】
2018164635.tif 000003
【図２】
2018164635.tif 000004
【図３】
2018164635.tif 000005
【図４】
2018164635.tif 000006
【図５】
2018164635.tif 000007
【図６】
2018164635.tif 000008
【図７】
2018164635.tif 000009
【図８】
2018164635.tif 000010
【図９】
2018164635.tif 000011
【図１０】
2018164635.tif 000012
【図１１】
2018164635.tif 000013
【図１２】
2018164635.tif 000014